(57)【要約】【課題】顧客の要求する機能を有する製品を製造する製造装置を提供する。【解決手段】製造装置１は、顧客の要望をデータ入力装置８にて検出すると、その要望に応じた機能を満たすように、制御部４がデータベース６に保存しているプログラムをユニット格納部１５のユニットに記憶させる。また、顧客の要望に応じた外観、デザインとなるように、外観部品格納部１３、デザイン素材格納部１４から所定の部品、素材などをデザイン加工装置１７に送り出す。デザイン加工装置１７にて外観、デザインを加工して、組立装置１８にてユニットを組み合わせて製品を製造する。ユーザの所有するユーザ装置を形状認識部２２にて認識して、デザイン加工装置１７にて外観、デザインを加工することもできる。【選択図】  図１
2004310445.tif 000002
【特許請求の範囲】
【請求項１】
顧客の要望に沿った製品を製造する製造装置において、
所定の機能が設定された組み合わせ可能なユニットを供給するユニット供給手段と、
上記ユニット供給手段から供給される上記ユニットを組み合わせて製品を作製する組立手段と、
上記組立手段の作製する上記製品の機能が顧客の要望に沿ったものとなるように、上記ユニット供給手段の供給する上記ユニットの機能を設定する制御部とを備えていることを特徴とする製造装置。
【請求項２】
上記ユニットに記憶させるためのプログラムを保存しているデータベースを備えており、
上記ユニット供給手段は、上記ユニットを格納するユニット格納部を有しており、
上記制御部が、上記ユニット供給手段の上記格納部に格納している上記ユニットに、上記データベースの上記プログラムを記憶させることによって、上記ユニットに上記機能を設定することを特徴とする請求項１に記載の製造装置。
【請求項３】
製造装置本体の有する各手段が一体となり、移動可能かつ設置可能となっていることを特徴とする請求項１に記載の製造装置。
【請求項４】
顧客による支払を検出する支払受付装置を備え、
上記支払受付装置による顧客の上記支払の検出に応じて、上記製品の製造を行うことを特徴とする請求項１に記載の製造装置。
【請求項５】
上記製品に施すデザインのデータを入力するための入力手段と、
上記入力手段を介して入力されたデザインのデータを表示する表示装置とを備えていることを特徴とする請求項１に記載の製造装置。
【請求項６】
上記入力手段を介して入力されたデザインを上記製品に施す加工装置を備えていることを特徴とする請求項５に記載の製造装置。
【請求項７】
上記入力手段を介して入力されたデザインが予め定めた制限条件を満たしていない場合に警告を上記表示装置に表示させる警告手段を備えていることを特徴とする請求項５に記載の製造装置。
【請求項８】
ユーザの所有するユーザ装置の形状を認識する形状認識部を備え、
上記加工装置が、上記形状認識部にて認識した上記形状に応じて、上記デザインを上記ユーザ装置に対して施すことを特徴とする請求項６に記載の製造装置。
【請求項９】
顧客の要望に沿った製品を製造する製造方法において、
作製する製品の機能が顧客の上記要望に沿ったものとなるように、製品を構成するユニットに所望の機能を設定する工程と、
上記所望の機能が設定された上記ユニットを組み合わせて上記製品を作製する工程とを含んでいることを特徴とする製造方法。
【発明の詳細な説明】
【０００１】
【発明の属する技術分野】
本発明は、製品を製造する製造装置および製造方法に関するものであり、例えば顧客による支払を検出する支払装置を備え、支払装置による支払の確認に応じて、製品を製造し販売する製造装置および製造方法に関するものである。
【０００２】
【従来の技術】
現在、製品に対するユーザ（顧客）のニーズは多種多様化しており、メーカにはそれに対応した生産方式が必要とされる。
【０００３】
例えば、注文生産方式においては、予めベースとなる部分を半完成品の状態でストックしておき、ユーザの要望仕様に応じてカスタマイズ部分を組み付けて完成品にする。このように、ユーザの要求仕様を受けて、その仕様に合った設計や生産を行うといった受注生産では、ユーザの注文を受けてから設計、生産、販売が完了するまでに多くの時間が必要となる。
【０００４】
特に、形状、外観、基本ユニットの設計及び作図には、ＣＡＤ（Ｃｏｍｐｕｔｅｒ  Ａｉｄｅｄ  Ｄｅｓｉｇｎ）システムや設計・製図道具などの器具が必要となる場合がある。この場合には、ユーザは、予めメーカが準備した中から形状、外観、基本ユニットの設計等を選ぶしかない。このため、ユーザ自らが自分で作成した形状や作図を製品化することは、非常に困難である。
【０００５】
一方、例えば日本国の公開特許公報「特開平１０−２８３５３７号公報（公開日：１９９８年１０月２３日）」に記載された、創作時計の自動製造販売機においては、購入者の選択、提示又は作成するデザインに基づいて、その場で時計を製造し販売する構成が開示されている。
【０００６】
【特許文献１】
特開平１０−２８３５３７号公報
【０００７】
【発明が解決しようとする課題】
しかしながら、上記公報記載の構成においては、ユーザの要求するデザインを満たすことができるのみであり、ユーザの要求する機能を満たすことができないという問題を生ずる。
【０００８】
近年、特にパーソナルコンピュータや携帯端末（ＰＤＡ（Ｐｅｒｓｏｎａｌ  Ｄｉｇｉｔａｌ  Ａｓｓｉｓｔａｎｔｓ））、携帯電話などパーソナルユースの電気製品において、機能面、デザイン仕様面におけるユーザの嗜好性が強まっている。ユーザ（顧客）のニーズは多様化しており、オリジナリティーの有る製品が望まれている。
【０００９】
しかしながら、例えば上記公報記載の技術によれば、デザイン仕様面における要求に応じることができるとしても、ユーザの要求する機能を有する製品を製造することはできない。
【００１０】
本発明は、上記の問題点に鑑みてなされたものであり、その目的は、ユーザの要求する機能を有する製品を製造する製造装置および製造方法を提供することにある。
【００１１】
【課題を解決するための手段】
本発明に係る製造装置は、上記課題を解決するために、顧客の要望に沿った製品を製造する製造装置において、所定の機能が設定された組み合わせ可能なユニットを供給するユニット供給手段と、上記ユニット供給手段から供給される上記ユニットを組み合わせて製品を作製する組立手段と、上記組立手段の作製する上記製品の機能が顧客の要望に沿ったものとなるように、上記ユニット供給手段の供給する上記ユニットの機能を設定する制御部とを備えていることを特徴としている。
【００１２】
上記製造装置は、例えば顧客（ユーザ）の要望、選択指示などを検出するユーザインタフェースを備え、このユーザインタフェースにて検出したユーザの要望に応じた製品を製造する。
【００１３】
上記製造装置においては、他のユニットと組み合わせ可能となっている、所定の機能が設定されたユニットをユニット供給手段が供給し、そのユニットを組立手段が組み合わせて製品を作製する。また、製造装置の制御部が、顧客の要望に応じて、ユニット供給手段の供給するユニットの機能を所望の機能に設定する。
【００１４】
例えば、これらのユニットは、ユーザが要求する機能一つ当りに一つのユニットを対応させるようにする。この場合には、制御部は、所定の機能に対応するユニットを、ユニット供給手段の供給するユニットとして設定する。また、例えばユニットは、所定のプログラムを記憶するための記憶部を備えていてもよい。この場合には、制御部は、所定の機能に対応するプログラムをユニットの記憶部に記憶させることによって、そのユニットをユニット供給手段の供給するユニットとして設定する。いずれにせよ、所定の機能が設定されたユニットを組み合わせることによって、ユーザの要求を満たす製品を製造できる。
【００１５】
したがって、ユーザの要求する機能を有する製品を製造する製造装置を提供することができる。
【００１６】
なお、上述のユニットには、カバーまたは外部筐体として機能する外観部品も含まれる。
【００１７】
ここで、従来の公報記載の構成は、機能を構成するユニットが単一機能のため、一つしか存在せず、複数のうちから選択することはできなかった。また、従来は、ユーザによって機能を選択可能とするという課題は認識されていなかった。
【００１８】
一方、本発明に係る製造装置においては、複数の機能を任意に選択し、それを組み合わせることが可能であり、機能の選択が可能となっている。
【００１９】
なお、上記構成の製造装置を、顧客の要望する機能とデザインの仕様を反映した製品を提供する製品製造販売システムであって、前記機能とデザインの仕様に合致させるための情報を入力する入力手段と、機能とデザインの仕様のデータを記憶する記憶手段と、機能とデザインの仕様を実現するためのユニットと素材を格納する格納手段と、決定されたデザインの仕様を外観部品に加工し、選択された機能を有するユニットと部品を組立・検査する加工手段と、を備えることを特徴とする製品製造販売システムである、と表現することもできる。
【００２０】
本発明に係る製造装置は、上記課題を解決するために、上記構成において、上記ユニットに記憶させるためのプログラムを保存しているデータベースを備えており、上記ユニット供給手段は、上記ユニットを格納するユニット格納部を有しており、上記制御部が、上記ユニット供給手段の上記格納部に格納している上記ユニットに、上記データベースの上記プログラムを記憶させることによって、上記ユニットに上記機能を設定することを特徴としている。
【００２１】
すなわち、ユニットに記憶させて機能を設定するためのプログラムを予めデータベースに保存しておき、ユニット供給手段の格納部に格納しているユニットに、制御部が所望のプログラムを記憶させることによって機能を設定してもよい。この構成であれば、上述の本発明に係る製造装置を容易に実現できる。
【００２２】
なお、上記のデータベースには、所望の機能を実現するためのプログラムだけでなく、さらに所望のデザインを実現するためのサンプルデータを記憶させてもよい。
【００２３】
本発明に係る製造装置は、上記課題を解決するために、上記構成において、製造装置本体の有する各手段が一体となり、移動可能かつ設置可能となっていることを特徴としている。
【００２４】
すなわち、この製造装置は、例えばユニット供給手段、組立手段、制御部を一体として外部筐体の内部に設けた構成である。また、例えば、この外部筐体の底部に、移動手段としてのキャスターと、移動を停止して設置する設置手段としてのストッパとが設けられている。これによって、製造装置を所望の場所へと移動させて設置できる。例えば、この製造装置は、製品として携帯型のコンピュータを製造するものであり、自動販売機のように所望の場所へと移動させて設置するものであってもよい。
【００２５】
なお、本発明に係る製造装置は、各手段が上述のように一体となった構成に限るものではなく、各手段を例えばネットワークにて接続した構成であってもよい。
【００２６】
本発明に係る製造装置は、上記課題を解決するために、上記構成において、顧客による支払を検出する支払受付装置を備え、上記支払受付装置による顧客の上記支払の検出に応じて、上記製品の製造を行うことを特徴としている。
【００２７】
上記製造装置は、例えば制御部が、ユーザの要望に応じた機能を有する製品の価格を計算して、ユーザインタフェースに表示する。
【００２８】
上記製造装置は、支払受付装置にて顧客の支払を検出すると、その後に製品の製造を開始する。すなわち、上記製造装置として、支払に応じて製品を製造する製造販売装置を提供できる。
【００２９】
なお、上記製造装置を、顧客が要望する機能とデザインの仕様と、顧客が要望する価格が合致した場合に、支払決裁処理を行う支払受付処理手段を更に有し、支払決裁処理が行われた後に、製品の加工を開始することを特徴とする製品製造販売システムである、と表現することもできる。
【００３０】
本発明に係る製造装置は、上記課題を解決するために、上記構成において、上記製品に施すデザインのデータを入力するための入力手段と、上記入力手段を介して入力されたデザインのデータを表示する表示装置とを備えていることを特徴としている。
【００３１】
この構成であれば、入力手段にて入力したデザインを表示装置に表示させて、製品に施すデザインを確認できる。
【００３２】
また、上記製造装置に、例えばデータを保存するデータベースが備えられている場合には、このデータベースにユニット、製品の外観についてのデータを保存してもよい。さらに、データベースに保存したユニット、製品の外観についてのデータと、入力手段にて入力したデザインとを用いて、実際の製品にデザインがどのように反映されるかを計算して表示装置に表示してもよい。また、表示装置に表示する画像として３次元の画像データを生成してもよい。
【００３３】
なお、上記製造装置を、機能とデザインの仕様を入力するデータ入力手段と、該入力したデータ又は、記憶したデータを二次元又は三次元画像で表示する表示手段を有し、顧客が要望する機能とデザインの仕様を選択して決定することを特徴とする製品製造販売システムである、と表現することもできる。
【００３４】
本発明に係る製造装置は、上記課題を解決するために、上記構成において、上記入力手段を介して入力されたデザインを上記製品に施す加工装置を備えていることを特徴としている。
【００３５】
ここで、加工装置は、例えば印刷・塗装などによって、デザインを製品に施すようになっている。この加工装置を用いて、所望のデザインを製品に施すことができる。
【００３６】
なお、上記製造装置を、素材・部品・ユニットを格納する部品・素材格納手段と、該部品・素材格納手段から顧客が決定した機能とデザイン仕様を満足する素材、部品、ユニットを選択して、加工及び検査を行う加工・検査手段からなる製品製造販売システムである、と表現することもできる。
【００３７】
本発明に係る製造装置は、上記課題を解決するために、上記構成において、上記入力手段を介して入力されたデザインが予め定めた制限条件を満たしていない場合に警告を上記表示装置に表示させる警告手段を備えていることを特徴としている。
【００３８】
例えば、予め定めた制限条件としては、製造する製品の操作性を考慮して、その操作性を阻害しないようなデザインのみを許可するようにする。これによって、所定の操作性が得られることを保証できる。
【００３９】
本発明に係る製造装置は、上記課題を解決するために、上記構成において、ユーザの所有するユーザ装置の形状を認識する形状認識部を備え、上記加工装置が、上記形状認識部にて認識した上記形状に応じて、上記デザインを上記ユーザ装置に対して施すことを特徴としている。
【００４０】
この構成であれば、ユーザの所有するユーザ装置に対してデザインを施すことができる。
【００４１】
本発明に係る製造方法は、上記課題を解決するために、顧客の要望に沿った製品を製造する製造方法において、作製する製品の機能が顧客の上記要望に沿ったものとなるように、製品を構成するユニットに所望の機能を設定する工程と、上記所望の機能が設定された上記ユニットを組み合わせて上記製品を作製する工程とを含んでいることを特徴としている。
【００４２】
上述のように、ユニットごとに機能を設定して、そのユニットを組み合わせて製品を作製するので、ユニットごとに設定する機能を適切なものとして、所望の機能を有する製品を製造できる。また、この製造方法によって、上述の製造装置を実現できる。
【００４３】
なお、上記製造方法を、顧客の要望する機能とデザインの仕様を反映した製品を提供する製品製造販売方法であって、前記機能とデザインの仕様に合致させるための情報を入力する入力ステップと、機能とデザインの仕様のデータを記憶する記憶ステップと、機能とデザインの仕様を実現するためのユニットと素材を格納する格納ステップと、決定されたデザインの仕様を外観部品に加工し、選択された機能を有するユニットと部品を組立・検査する加工ステップと、を備えることを特徴とする製品製造販売方法である、と表現することもできる。
【００４４】
以上のことから明らかなように、本発明によれば、今後、ますます多様化し短納期化するユーザ（顧客）のニーズに対し、顧客の要求仕様をその場で受け取り、その仕様に応じた製品をその場で提供することができるため、製品在庫を持たずに実売に結びつけることができる。
【００４５】
また、顧客においても、市販されている限られた種類の製品から選択するのではなく、自らが望む仕様の製品を入手することが可能となり、製品に対する満足度が向上する。また、製品を構成するユニットを機能毎にユニット化するため、製品を使用し始めた後に不良や破損が生じた場合でも、速やかにユニット交換が可能となる。
【００４６】
【発明の実施の形態】
本発明の一実施の形態について図１ないし図８に基づいて説明すると以下の通りである。
【００４７】
本実施形態の製造装置は、所定の機能が設定された組み合わせ可能なユニットを組み合わせることによって製品を製造する製造装置である。この製造装置は、一体として設けられ、所望の場所へと移動させて設置可能となっている。この製造装置を、製品製造販売システムであると表現することもできる。なお、以下では、製造装置の製造する製品が例えばラップトップ型のパーソナルコンピュータである場合について説明するが、これに限るものではなく、製品には携帯電話、ＰＤＡ（Ｐｅｒｓｏｎａｌ  Ｄｉｇｉｔａｌ  Ａｓｓｉｓｔａｎｔｓ）なども含まれる。
【００４８】
また、この製造装置は、ユーザ（顧客）による製品のデザインの設定が可能となっている。ユーザによって所定の基準を満たさないデザインが設定された場合には、製造装置は警告を発するようになっている。また、この製造装置は、ユーザの所有する装置（以下、ユーザ装置とする。）に対して、所望のデザインを施すことができる。
【００４９】
製造装置１は、図１に示すように、概略的に、入力部２、加工部３、制御部４、警告部（警告手段）５、データベース６、支払受付装置７を含んでいる。
【００５０】
入力部２は、ユーザからの入力を受け付け、またはユーザへの指示を表示する、ユーザインタフェースである。入力部２は、データ入力装置（入力手段）８と表示装置９とを含んでいる。
【００５１】
データ入力装置８は、ユーザからの入力を受け付ける。本実施形態のデータ入力装置８は、キーボード、マウスおよび画像入力ペン（ペン）である。データ入力装置８によって、製品に対して要求する所望の機能、製品に施すデザインの外観図などのデータを入力できる。なお、製造装置１は、図示しないインターネットのようなネットワークに接続されていてもよい。この場合に、データ入力装置８の代わりに、例えばネットワークを介して、事前にユーザが好みのオリジナルデザインのデータを製造装置１に入力しておく構成も可能である。
【００５２】
表示装置９は、液晶表示装置または陰極線管などからなる表示装置である。表示装置９には、例えば制御部４で作成された、データベース６に基づく情報が表示される。または、表示装置９には、例えばデータ入力装置８を介して入力されたデータを表示してもよい。なお、データ入力装置と表示装置とは、一体としたタッチパネルとして構成してもよい。
【００５３】
加工部３は、製品を加工するためのものである。加工部３については後述する。
【００５４】
制御部４は、製造装置１の制御を行うものである。制御部４は、例えば図示しないＣＰＵ（Ｃｅｎｔｒａｌ  Ｐｒｏｃｅｓｓｉｎｇ  Ｕｎｉｔ）が、図示しないメモリに記憶されたプログラムを読み取って実行することによって実現される。
【００５５】
警告部５は、入力部２を介して入力されるユーザの指示に対して、必要に応じて警告を行うためのものである。
【００５６】
データベース６は、製造装置１の記憶装置である。データベース６には、ユニットの機能、描画データ、組立・加工方法、検査方法、梱包方法、部品・素材の在庫量、生産台数（販売台数）、売上金額、またはユニットに記憶させるためのプログラムなどが登録される。
【００５７】
支払受付装置７は、ユーザによる支払を受け付けるものである。より詳細には、支払受付装置７は、貨幣認識装置やクレジットカード認識装置などである。支払受付装置７は、ユーザからの対価の支払処理を、現金、または図示しないネットワークを介したオンラインによる支払処理で受け付ける。
【００５８】
ここで、加工部３について説明する。加工部３は、部品・素材格納部（ユニット供給手段）１０、組立検査部１１、および収容部１２を含んでいる。
【００５９】
部品・素材格納部１０には、製造する製品の部品・素材などを格納する。この部品・素材格納部１０は、所定の機能が設定された組み合わせ可能なユニットを供給するユニット供給手段として機能する。部品・素材格納部１０は、外観部品格納部１３、デザイン素材格納部１４、ユニット格納部１５、および梱包材格納部１６を含んでいる。
【００６０】
ここで、このユニットには、例えばカバーまたは外部筐体として機能する外観部品と、外観部品の内部に備え付けるその他の部品とが含まれる。本実施形態においては、外観部品は外観部品格納部１３に格納し、その他の部品をユニット格納部１５に格納する。
【００６１】
外観部品格納部１３は、ユーザが要望するデザイン加工を施す対象となる外観部品を格納する。この外観部品は予め工場で製作されたものを格納する。デザイン素材格納部１４は、印刷用インク、塗料、転写箔などの素材を格納する。ユニット格納部１５は、製品の機能・特徴のベースとなるユニットを格納する。ユニット格納部１５には、ハードディスクやフロッピー（登録商標）ディスクドライブ、光磁気記録装置、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）のような光ディスクの読み取り装置、プリント基板、中央演算処理用ＬＳＩ、液晶などの表示素子、キーボード、マウス、フラッシュメモリ、通信基板、バイブレータなどを格納する。梱包材格納部１６は、ダンボール、緩衝材、ラッピングフィルム及び付属品である取扱説明書、保証書などを格納する。
【００６２】
組立検査部１１は、製造する製品の組立と検査とを行う。組立検査部１１は、デザイン加工装置（加工装置）１７、組立装置（組立手段）１８、検査装置１９、および梱包装置２０を含んでいる。
【００６３】
デザイン加工装置１７は、印刷、塗装などによって、所望のデザインを製品に施すものである。デザイン加工装置１７は、例えば吹き付け塗装装置やシルク印刷装置、箔転写装置などである。デザイン加工装置１７は、例えば外観部品格納部１３から払い出された外観部品を、データ入力装置８から入力されてデータベース６に記憶された描画データを用いて加工（印刷、塗装など）する。また、デザイン加工装置１７は、例えば、収容部１２に収容されたユーザ装置に対して印刷、塗装をする。
【００６４】
組立装置１８は、外観部品やユニット部品を、データベース６に予め登録された組立方法に基づいて組立てる。組立装置１８は、例えばユニット格納部１５から供給されるユニットを組み合わせる。検査装置１９は、製品の検査を行うものである。検査装置１９は、例えば画像処理機能を持った外観検査機、性能検査装置、安全性検査装置である。検査装置１９は、例えば組み上がった完成品を検査した後、合格した完成品に、合格証または製造番号を付した定格銘板を貼り付ける。梱包装置２０は、製品を梱包する。梱包装置２０は、例えばフィルムラミネート装置や製函機である。
【００６５】
収容部１２は、ユーザ装置にデザインを施す場合に、ユーザ装置を収容して、ユーザ装置へのデザイン加工が可能であるかを判別する。収容部１２は、ユーザ装置格納部２１と形状認識部２２とを含んでいる。
【００６６】
ユーザ装置格納部２１は、ユーザ装置を収容して格納するものである。形状認識部２２は、ユーザ装置格納部２１に格納されたユーザ装置の形状を判別、認識して、そのユーザ装置へのデザイン加工が可能であるか否かを判別する。
【００６７】
また、この製造装置１は、上述した各手段を外部筐体の内部に一体として備えた構成である。そして、この外部筐体の底部には、移動を可能とするキャスターと、移動を停止して設置を可能とするストッパとが設けられている。
【００６８】
上記構成の製造装置１における処理の一例について、以下で図２に基づいて説明する。ここでは、ユーザが所望の機能・デザインの製品（パーソナルコンピュータ）を選択し、製造装置１が選択された製品を製造して販売する場合について説明する。
【００６９】
Ｓ１では、予めデータベース６に登録されたユニットの機能などの情報を、ユーザによる選択が可能なように、表示装置９に表示する。
【００７０】
例えば、図３に示すように、表示装置９には表示画面９ａが表示される。表示画面９ａには、「機能の選択」モードに移行するためのキーＰ１、「デザインの入力」モードに移行するためのキーＰ２、「お支払い」モードに移行するためのキーＰ３が表示される。ユーザは、データ入力装置８の例えばマウスを用いて、図示しないポインタを表示画面９ａ上で移動させて、キーＰ１〜Ｐ３のいずれかを選択できる。このように、本実施形態の製造装置１によれば、ユーザは、要望する機能とデザインの仕様について、詳細に入力または選択ができるような画面を、簡単に選択できるようになっている。
【００７１】
ここでは、Ｓ１の次のＳ２にて、ユーザによるキーＰ１の入力が検出されたとする。この場合には、図４に示すように、表示装置９の表示画面９ｂとして、機能の選択を可能とする機能選択画面を表示する。
【００７２】
この表示画面９ｂは、機能選択領域９ｃと選択表示領域９ｄとを含んでいる。
【００７３】
機能選択領域９ｃは、機能ごとに、選択可能な要素を示すようになっている。例えば、データ入力装置８のマウスを用いて、キーＰ４に含まれるチェックボックスを選択することによって、ＣＰＵのクロック速度を、２．０ＧＨｚ，  １．５ＧＨｚ，  １．２ＧＨｚ，  １．０ＧＨｚ，  ８００ＭＨｚのいずれかとして設定できるようになっている。図４に示す一例では、１．２ＧＨｚが選択されている。
【００７４】
また、キーＰ５はメモリ（メモリー）の容量について、キーＰ６はハードディスクの容量について、キーＰ７は液晶ディスプレイの解像度について、キーＰ８は光ディスク（ＤＶＤまたはＣＤ）ドライブの構成について、キーＰ９はＬＡＮ（Ｌｏｃａｌ  Ａｒｅａ  Ｎｅｔｗｏｒｋ）接続またはモデムの構成について、キーＰ１０は記録媒体としてのカードを装着するカードスロットの構成について、キーＰ１１は周辺機器を接続するカードスロットの構成について、キーＰ１２は例えばフロッピー（登録商標）ディスクドライブ、スピーカのような、その他の機能について、キーＰ１３は取扱説明書などの付属品について、キーＰ１４はＯＳ（Ｏｐｅｒａｔｉｎｇ  Ｓｙｓｔｅｍ）について、キーＰ１５はインストールしておくソフトウェアについて、それぞれ設定できるようになっている。また、これらのキーによって選択できる機能のうち、例えばキーＰ８にて選択する光ディスクドライブについての機能などは、複数の要素（機能）を選択できるようになっている。
【００７５】
機能選択領域９ｃに含まれるこれらのキーＰ４〜Ｐ１５に対して設定を行うと、その結果が選択表示領域９ｄに表示される。また、選択表示領域９ｄの下部には、選択した機能に基づく製品を製造した場合の販売価格を制御部４にて計算し、表示している。
【００７６】
また、表示画面９ｂには、図３に示す表示画面９ａ（メイン画面）に戻るためのキーＰ１６、「デザインの入力」モードに移行するためのキーＰ１７、「お支払い」モードに移行するためのキーＰ１８が表示されている。
【００７７】
このように、機能の選択を可能とする機能選択画面としての表示画面９ｂは、ユーザの要望する仕様や機能を、マウスやキーボードなどのデータ入力装置８を使用して簡単に選択できるようになっている。また、選択された内容が分かり易く表示されている。また、選択した機能や仕様に基づく販売価格が、仕様や機能の選択を実行すると同時に計算され、表示される。
【００７８】
Ｓ２の次のＳ３では、表示画面９ｂのキーＰ１７が選択されたとして、「デザインの入力」モードに移行する。また、このように、他の画面へ切換えするための選択を検出すると、表示していた画面についての結果を一旦データベース６に登録する。ここでは、ユーザによって選択された各機能、およびそれらによる価格などがデータベース６に記憶される。
【００７９】
Ｓ３の次のＳ４では、デザインの入力を可能とするデザイン入力画面として、図５に示すような表示画面９ｅを表示する。表示画面９ｅには、２次元画像表示領域９ｆと３次元画像表示領域９ｇとが含まれている。
【００８０】
また、表示画面９ｅには、「データの入力」モードを選択するためのキーＰ２０、「データの取込み」モードを選択するためのキーＰ２４、「入力完了」を選択するキーＰ３０が含まれている。
【００８１】
キーＰ２０が選択されて「データの入力」モードに移行すると、「キーボード」からのデータ入力を選択するキーＰ２１、「ペン」からのデータ入力を選択するキーＰ２２、または「マウス」からのデータ入力を選択するキーＰ２３のいずれかが選択可能となる。
【００８２】
また、キーＰ２４が選択されて「データの取込み」モードに移行すると、「サンプル」からのデータ取込みを選択するキーＰ２５、「インターネット」からのデータ取込みを選択するキーＰ２６、「ＦＤ」（フロッピー（登録商標）ディスク）からのデータ取込みを選択するキーＰ２７、「ＣＤ−ＲＯＭ」からのデータ取込みを選択するキーＰ２８、または「その他」からのデータ取込みを選択するキーＰ２９のいずれかが選択可能となる。
【００８３】
また、表示画面９ｅには、メイン画面に戻るためのキーＰ３１、図４に示す「機能の選択」モードに移行するためのキーＰ３２、「お支払い」モードに移行するためのキーＰ３３が表示されている。
【００８４】
ここで、Ｓ４のように、「デザインの入力」モードにて始めてデザイン入力画面を表示した場合には、表示画面９ｅの３次元画像表示領域９ｇには、例えば製造装置１内に格納されており、予めデータベース６にデータが登録されている外観部品についての三次元外観図のサンプルが表示される。また、２次元画像表示領域９ｆには、二次元外観図のサンプルが表示される。この場合、製造装置１内に格納されている外観部品は、予め簡単なデザイン（塗装）を施してあっても良いし、または後にユーザによってデザインが施されることを前提として全くデザインを施していないものであってもよい。
【００８５】
Ｓ４の次のＳ５においては、データ入力装置８を用いてユーザが選択した外観図のデータを、一旦データベース６に記憶する。また、ユーザがどの外観部品を選択したかについてもデータベース６に記憶する。
【００８６】
Ｓ５の次のＳ６では、「データの取込み」のためのキーＰ２４、「サンプル」からのデータ取込みのためのキーＰ２５が、ユーザによって順次選択されたものとする。この場合、予めデータベース６に登録された描画図のサンプルが表示装置９に表示される。ユーザによって適当なサンプルが選択され、入力完了キーＰ３０が選択されると、Ｓ７に進む。また、選択したサンプルの画像データについて、２次元画像表示領域９ｆ内に表示されている修正のための「修正」キーＰ３４、または「削除」キーＰ３５を用いて、その画像データを修正、または削除することもできる。
【００８７】
または、例えばＳ６において、「データの入力」のためのキーＰ２０、「ペン」からのデータの入力のためのキーＰ２２が、ユーザによって順次選択された場合には、ユーザによるデータ入力装置８のペンを用いて入力される描画図を検出して表示画面９ｅに表示する。
【００８８】
このように、表示装置９のデザイン入力画面としての表示画面９ｅは、ユーザの要望するデザインを、データ入力装置８のマウス、キーボード、ペンなどを用いて、データとして入力できるようになっている。また、ユーザが予め作成したデザインデータを、図示しないインターネットなどのネットワーク回線や、フロッピー（登録商標）ディスクやＣＤ−ＲＯＭ、コンパクトフラッシュ（登録商標）、ＳＤカードなどの記録メディアから取り込み、入力することもできるようになっている。このように、製造装置１本体の外部から、データを取り込むようにしてもよい。
【００８９】
Ｓ６の次のＳ７では、Ｓ６で作成された描画図を、デザイン加工装置１７で使用可能なデータに変換し、Ｓ８に進む。ここでは、例えばＳ４にて選択した外観部品に対して、デザイン加工装置１７を用いた塗装・印刷が可能となるように、描画図のデータを画像処理する。
【００９０】
Ｓ８では、Ｓ７で変換処理された描画データを、データベース６に記憶し、Ｓ９に進む。
【００９１】
Ｓ９においては、以前のＳ１〜Ｓ８にて設定されたデータをまとめて表示装置９に表示する。これによって、設定された内容が、ユーザが要求した機能やデザインの仕様を満たしているか否かを、ユーザに確認させる。ユーザによって、仕様を満たしているものと確認された場合には、Ｓ１０に進む。また、仕様を満たしていないとされた場合には、Ｓ２に戻る。なお、例えば機能についての仕様を満たしていない場合はＳ２へ、外観部品の仕様を満たしていない場合はＳ４へ、描画の仕様を満たしていない場合はＳ６に戻るようにしてもよい。このように、機能や仕様をそれぞれ満たすように、再選択や再入力を繰り返すことができるようになっている。
【００９２】
Ｓ９の次のＳ１０では、設定されたデザインデータなどについて、操作性を考慮して予め定めた所定の制限条件を満たしているか否かについて、警告部５が判別をする。判別の結果、所定の制限を満たしている場合にはＳ１１に進み、所定の制限を満たしていない場合には、図６に示すような警告用の表示画面９ｈを表示する。
【００９３】
ここで、携帯用電子機器としてのコンピュータ、携帯電話などにおいては、形状が小さいので、ユーザによる操作性を確保するためにデザインが大きく制限される。例えば、携帯電話の場合、ボタンや操作キーなどが非常に小さく、狭い範囲に配置されているため、これを考慮してデザインを行うことが好ましい。
【００９４】
そこで、本実施形態の製造装置１の警告部５は、例えば操作性を阻害するデザインが設定されている場合には、表示装置９などを介してユーザに注意を促すようになっている。そこで、例えば図６に示すように、表示画面９ｈにおいて、表示領域９ｉに「そのデザインを設定できない」旨の注意を表示する。また、図６に示すように、表示画面９ｈには、一つ前の手順（Ｓ９）に戻るためのキーＰ３６と、始めの手順（Ｓ６）に戻るためのキーＰ３７とを表示している。ここでは、Ｓ１０において操作性が確保できない場合には、ユーザによってキーＰ３７が選択され、Ｓ６に戻るものとする。
【００９５】
より詳細には、警告部５は、例えばキー操作に必要な高さが７ｍｍ以下と制限されている場合に、ユーザがキー操作部のデザイン形状を高さ１０ｍｍと入力したときには、警告用の表示画面９ｈを表示して注意を促す。
【００９６】
Ｓ１０にて操作性が確保できると判別された場合のＳ１１では、支払処理を行うための支払処理画面として、図７に示すような表示画面９ｊを表示する。
【００９７】
この表示画面９ｊの表示領域９ｒには、選択された機能や入力された仕様に基づき、予めデータベース６に記憶された基本ユニットや、印刷・塗装のそれぞれの価格が計算され、合計された販売価格が表示される。なお、例えば製品としてのコンピュータを販売する場合には、外観についてのデザインは無料で加工するようにしてもよい。以下で説明するように、この表示画面９ｊにおいて、ユーザの支払が可能であると判別された場合にはＳ１２に進み、ユーザの支払が可能でないと判別された場合にはＳ２に戻る。なお、ユーザの選択に応じて、Ｓ２の代わりにＳ４、またはＳ６に戻るようにしてもよい。例えばＳ２に戻る場合には、機能を下位の機能にするか、または不要な機能を削除するようにユーザに指示してもよい。または、Ｓ４に戻る場合に、外観部品を下位の仕様にするようにユーザに指示してもよい。または、Ｓ６に戻る場合に、描画データを下位の仕様にするようにユーザに指示してもよい。このように、支払可能な金額の機能や仕様となるまで処理を繰り返すようにしてもよい。
【００９８】
表示画面９ｊは、支払方法として「現金」を選択するキーＰ４０、「クレジットカード」を選択するキーＰ４１、「デビットカード」を選択するキーＰ４２を含んでいる。また、表示画面９ｊには、メイン画面に戻るためのキーＰ４７、図５に示す「デザインの入力」モードに移行するためのキーＰ４８、「機能の選択」モードに移行するためのキーＰ４９が表示されている。
【００９９】
例えば、ユーザがキーＰ４１を選択すると、表示領域９ｋに、「（クレジット）カードを挿入する」旨の指示が表示される。この指示に応じて、ユーザが支払受付装置７の図示しないカード挿入口にクレジットカードを挿入して、キーＰ４３を押す。すると、支払受付装置７は、挿入されたクレジットカードが使用可能なものであるかを判別して、使用可能である場合には表示領域９ｌに「パスワード（暗証番号）を入力する」旨の指示を表示する。使用可能でない場合には、例えばその旨の警告を表示し、ユーザによる支払が可能でないものと判別してＳ２に戻る。
【０１００】
表示領域９ｌに表示された指示に応じて、ユーザが支払受付装置７の図示しない暗証番号入力キー（数字キー）から暗証番号を入力する。すると、支払受付装置７は、入力された暗証番号が正規のものであるかを判別して、正規のものである場合には表示領域９ｍに「支払回数を入力する」旨の指示を表示する。正規のものでない場合には、例えばその旨の警告を表示し、ユーザによる支払が可能でないものとしてＳ２に戻る。
【０１０１】
表示領域９ｍに表示された指示に応じて、ユーザが支払受付装置７の数字キーから支払回数を入力する。すると、支払受付装置７は、これまでに入力された支払方法、支払回数についての内容を表示領域９ｎに表示するとともに、「表示した内容が正しい場合には支払いキーを押す」旨の内容を表示領域９ｐに表示する。
【０１０２】
支払いを行うための「支払い」キーＰ４６がユーザによって選択されると、Ｓ１２に進んで、支払受付装置７が支払い処理を行う。本実施形態においては、製造装置１が図示しないオンライン機構に接続されており、クレジットカードによる支払処理が可能となっている。デビットカードが選択された場合も同様である。また、現金が選択された場合には、支払受付装置７の図示しない貨幣認識装置が、ユーザによって挿入された現金を勘定して支払処理を行う。
【０１０３】
Ｓ１２の次のＳ１３では、支払が正しく行われたか否かを判別して、正しく行われた場合には次のＳ１４に進んで製造を開始し、正しく行われなかった場合にはＳ１２に戻る。
【０１０４】
このように、支払処理画面としての表示画面９ｊによれば、ユーザは、要望する仕様や機能を満たした製品の対価を、画面の操作ガイダンスに従って、簡単に支払い処理できるようになっている。また、製造装置１は、ユーザによる支払を検出すると、その後に、以下に説明するように製品の製造を開始する。
【０１０５】
Ｓ１４では、外観部品格納部１３から送り出された外観部品に、Ｓ８にてデータベース６に登録した描画データを、デザイン素材格納部１４のデザイン素材を使用して加工する。この場合の加工は、シルク印刷機や塗料を用いた吹きつけ塗装装置、熱転写フィルム印刷装置、箔貼付け装置などのいずれかの方法が選択できるものとする。
【０１０６】
Ｓ１４の次のＳ１５では、Ｓ３にてデータベース６に登録した機能に該当するユニットを、ユニット格納部１５から組立装置１８へ送り出す。なお、例えばＳ２にて選択したＯＳなどは、このタイミングにて、装置本体の記憶装置としてのデータベース６から所定のユニットに、制御部４によってインストールされる。これによって、ユニットに所望の機能が設定される。
【０１０７】
次のＳ１６では、Ｓ１５で送り出されたそれぞれのユニットを組立装置１８にて組み合わせて、製品を作製する。組立装置１８には、組み付け手段として、例えば自動機や圧着機、接着機、ネジ締め機などが備えられており、それらを用いて作製するようになっている。
【０１０８】
また、ユニット格納部１５に格納しているユニットは、それぞれ、機能が独立したモジュール化をしておくことが好ましい。また、予め工場で製作され、容易に組み合わせが可能となっている。また、これらのユニットは、工場での生産及び出荷時に、個別に調整・検査・試験が行われ、品質が保証されているものとする。また、これらのユニットは、例えばユーザが要求する機能一つ当りに一つのユニットが対応している。このため、このユニットを組み合わせることにより、ユーザの要求を満たすことができる。
【０１０９】
次のＳ１７では、組立装置１８で組み付けられた製品を検査装置１９に送り出す。検査装置１９にて、外観検査及び性能検査を行う。外観検査として、ＣＣＤ（Ｃｈａｒｇｅ  Ｃｏｕｐｌｅｄ  Ｄｅｖｉｃｅ）カメラを用いた画像処理装置や色温度測定器などにより、外観部品の傷や汚れの有無を検出する。性能検査は、信号測定装置やオシロスコープなどを用いて、予めデータベース６に記憶された検査データと製品から測定されたデータを比較することによって合否判定を行う。製造した製品が合格した場合にはＳ１９に進む。製品が合格しなかった場合にはＳ１８に進む。
【０１１０】
Ｓ１８においては、不良の発生した部品やユニットを取り外して交換するために、部品やユニットを製品から取り外す。そしてＳ１５に戻る。このＳ１５においては、新規のユニットを取り付ける。
【０１１１】
一方、製品が合格した場合のＳ１９では、製品を梱包装置２０に送りだす。梱包材格納部１６からダンボールなどの外装梱包材や発泡スチロールなどの緩衝材、ラッピングフィルムなどの包装材を梱包装置２０に送り出し、梱包装置２０にて製品を梱包する。この場合の梱包は、フィルムラミネート装置や製函機によって行われる。また、製品を梱包する場合に、梱包材格納部１６から送り出された付属品の取扱説明書、保証書なども合わせて梱包を行う。
【０１１２】
Ｓ１９の次のＳ２０では、Ｓ１３における支払処理の正常終了を再度確認した後に、梱包装置２０より完成品を送り出す。これによって、ユーザが完成した製品を受け取ることができる。なお、Ｓ１１〜Ｓ１３の支払処理を、このＳ１９における梱包処理の後に行って、その後に梱包装置２０より完成品を送り出すようにしてもよい。
【０１１３】
以上のＳ１からＳ２０までの手順によって、ユーザの要望する機能とデザインの仕様を満たした製品を即座に生産し、販売することができる。
【０１１４】
以上のように、本実施形態に係る製造装置１は、ユーザの要望する機能を得ることができるように制御部４がユニットの機能を設定し、そのユニットを組み合わせて製品を作製する構成である。このため、ユーザの要望する機能を有する製品を製造できる。
【０１１５】
なお、上述の実施の形態においては、製造装置１の製造する製品がラップトップ型パーソナルコンピュータである場合について説明した。この場合には、例えば、通常の自動販売機数台分のサイズがあれば、十分に製造販売が可能であると考えられる。また、このサイズであれば、ゲームセンターや観光地に設置することができる。なお、本実施形態の製造装置１は、パーソナルコンピュータだけを対象としているのではなく、携帯電話や携帯端末（ＰＤＡ）、携帯ゲーム機などを対象にすることもできる。
【０１１６】
また、上述の実施の形態においては、製造装置１が、入力部２、加工部３、制御部４、警告部５、データベース６、支払受付装置７を、その外側を覆う外部筐体の内部に備えている（一体として備えている）構成について説明したが、本発明はこれに限るものではない。例えば、本発明に係る製造装置は、入力部、加工部、支払受付装置を一体として設ける一方、他の制御部、警告部、データベースは他の場所に配置してネットワークにて接続する構成であってもよい。すなわち、本発明に係る製造装置は、各手段を一体として設けた構成に限るものではなく、例えば各手段をネットワークにて接続した製品製造販売システムであってもよい。
【０１１７】
また、本実施形態の製造装置１のように、製造販売するものがコンピュータであれば、ソフトウェア（プログラム）によって実現される機能については、ソフトウェアのみを用意しておけばよい。このため、例えば、保存するための場所をそれほど必要としない。また製造販売が容易となるといった利点がある。
【０１１８】
より詳細には、コンピュータの場合、基幹ソフトウェアとなるオペレーションソフト（ＯＳ（Ｏｐｅｒａｔｉｎｇ  Ｓｙｓｔｅｍ））は複数存在している。これを例えば記憶装置としてのハードディスクドライブ（ＨＤＤ（Ｈａｒｄ  Ｄｉｓｋ  Ｄｒｉｖｅ））ユニットに予め記憶させておくと、ＯＳごとにＨＤＤを準備しておく必要が生ずる。すなわち、例えばＯＳを５種類分用意しておくためには、５つのＨＤＤを準備しなければならない。
【０１１９】
これに対し、本実施形態の製造装置１においては、装置本体の記憶装置（データベース６）にＯＳを予め登録しておき、ユーザがＯＳを選択した時点で予め登録されたＯＳをＨＤＤへ登録する。これにより、製造装置１においては、ＯＳが５種類あっても、例えばＨＤＤは１つを準備しておけば済む。
【０１２０】
このように、ソフトウェアによって実現される機能については、ソフトウェアをインストールしたＨＤＤを予め準備しておくのではなく、基本となるソフトウェアを準備しておき、ユーザが選択する都度にインストールを行う方式を取るため、ＨＤＤを保管しておく場所を少なくすることが可能である。
【０１２１】
また、本実施形態の製造装置１において、ユーザの指示によって加工を行うのはデザインのみである。また、機能を構成する各ユニットは予め装置内に準備しておくため、加工ではなく組立となる。本実施形態は、外観、ユニットなどを、組み合わせて組立が可能となるように準備しておく点にも特徴がある。なお、本発明は、外観及びユニットについても加工が可能であってもよい。しかしながら、現在の技術では、実現させることが困難であると考えられる。また、現在の技術を使用し、装置を製作すると、例えば自動販売機数台分のスペースでは不足すると考えられる。
【０１２２】
また、製造装置１の表示装置９は，上述のように３次元画像を表示できる。この表示装置９は、最新の３次元ＣＡＤで使用されているグラフィックス機能を保有している。また、表示装置９は、実際にデザイン加工した場合の色調で表示できる。また、データ入力装置８は、ユーザが予め紙などに描いてきたデザインや、写真などの画像を読み取ることによるデータ入力が可能である。
【０１２３】
次に、上述の製造装置１における処理の他の一例として、ユーザの所有している携帯電話（以下、ユーザ装置と呼ぶ。）に対して、携帯電話のデザインのみを変更する場合について、図８に基づいて説明をする。すなわち、本実施形態の製造装置１は、パーソナルコンピュータの自動販売機だけでなく、携帯電話のデザイン変更機としても機能する。なお、ここではデザインの変更のみについて説明をするが、デザインだけでなく、外枠形状、色等について変更を行うことも可能である。
【０１２４】
本実施形態の製造装置１は、ユーザの携帯電話の形状を認識するための形状認識部２２を含んでいる。この形状認識部２２は、ＣＣＤカメラなどによる画像認識装置である。
【０１２５】
まず、図８に示すように、Ｓ２１にて、ユーザによって製造装置１に挿入されたユーザ装置を、収容部１２のユーザ装置格納部２１に収容する。次のＳ２２では、形状認識部２２が、収容されたユーザ装置の形状を認識する。ここでは、例えば、上述の図２を参照して説明した外観部品を特定する際に必要となるデータと同程度に詳細なデータを測定し、形状を認識するものとする。
【０１２６】
Ｓ２３では、描画基本データの設定を行う。例えば、上述の図５と同様のデザイン入力画面を表示して、ユーザによるデザインの設定を検出する。この設定は、上述と同様に、ユーザがその場にて入力するものであってもよいし、または外部のデータを取り込むようにしてもよい。
【０１２７】
Ｓ２４では、Ｓ２３にて設定した描画データを、ユーザ装置に対して実際の加工（印刷・塗装）が可能となるデータに変換処理する。Ｓ２５では、処理した描画データをデータベース６に一旦登録する。
【０１２８】
Ｓ２６では、Ｓ２２にて判別したユーザ装置の形状と、Ｓ２５にて登録した描画データとに基づいて、描画データが操作性を悪くするものでないかどうか、描画データにもかかわらず操作性を維持できるか否かを判別する。また、例えば、製造装置１によってデザインだけでなく、外枠形状をも変更する場合には、選択した外枠形状を用いる場合に操作性を維持できるか否かを判別する。操作性が維持できる場合にはＳ２７に進み、操作性が維持できないと判別した場合にはＳ２３に戻る。
【０１２９】
Ｓ２７においては、図７にて説明した支払処理画面と同様の画面を表示して、ユーザによって支払が可能であるか否かを判別する。ここでは、この外観についてのデザインは有料で行うものとする。ユーザによる支払が可能であると判別された場合には次のＳ２８に進み、支払が可能でないと判別された場合にはＳ２３に戻る。
【０１３０】
Ｓ２８では支払受付装置７にて支払を受け付け、Ｓ２９にて支払が正しく行われたか否かを判別する。Ｓ２９にて支払いが正しく行われている場合にはＳ３０に進み、Ｓ２９にて支払いが正しく行われなかった場合にはＳ２８に戻る。
【０１３１】
Ｓ３０では、描画データに基づき、デザイン加工装置１７が例えばユーザ装置の外観に塗装・印刷を行う。Ｓ３１では、完成品を排出する。
【０１３２】
以上のように、本実施形態に係る製造装置１は、ユーザの所有するユーザ装置の形状を認識する形状認識部２２を備え、この形状認識部２２にて認識した形状に応じて、デザインをユーザ装置に対して施す構成である。したがって、ユーザは、自分の所有する例えば携帯電話に対して、この製造装置１を用いて所望のデザインを行うことができる。
【０１３３】
また、本発明は、機能とデザインの仕様との要望に関するユーザ（顧客）による選択に応じて、その場で製品を製造し販売する製品製造販売システム、製品製造販売方法に関するものである。上述のように、顧客が要望する機能とデザインの仕様を決定し、それに基づいた価格で合意に達すれば即座に生産し、販売する製品製造販売システム及び製品製造販売方法を提供する。
【０１３４】
顧客の要望する機能とデザインの仕様を反映した製品を提供するために、顧客の要望する機能とデザインの仕様を入力する入力部２と、機能とデザイン仕様のデータを記憶するデータベース（記憶手段）６と、機能とデザインの仕様を実現するための部品と素材を格納するための部品・素材格納部１０と、決定されたデザインの仕様を外観部品に加工し、選択された機能を有するユニットと部品を組立・検査する組立検査部１１とを備えている。そして、顧客が要望する機能とデザインの仕様と、顧客が要望する価格が合致し、支払決裁処理が行われた後に、製品の加工を開始する。
【０１３５】
ここで、近年、パーソナルコンピュータや携帯端末、携帯電話、携帯音楽再生装置のようなパーソナルユースの電気製品においては、ユーザ（顧客）の嗜好性が強まり、また、機能面、デザイン仕様面におけるユーザのニーズも多様化している。ユーザはオリジナリティーの有る製品を望むようになっている。
【０１３６】
ここで、ユーザが、独自に自分自身の望むデザインや機能をもつ製品を入手しようとする場合、特別注文を行うと、非常に多くの時間を要することになる。このため、通常は、メーカ側が提示した選択肢からユーザが選ぶ形で発注する場合がほとんどである。その場合、インターネットなどを利用して即時性を重視したとしても、受注までの時間が短縮されるだけであり、受注された製品は工場で組立てるため、ユーザがオーダしてから製品を手に入れるまでに多くの時間を必要とする。このため、ユーザは、注文しても即座に製品を入手することは困難である。
【０１３７】
例えば、従来の公開公報に記載された構成においても、ユーザが要求する造形・デザインも含めた様々なバラエティにとんだ製品を、短時間で供給することは非常に難しい。
【０１３８】
そこで、本発明においては、上述のように、ユーザが要望する機能とデザインの仕様を決定し、それに基づいた価格で合意に達すれば即座に生産し、販売する製品製造販売システム及び製品自動販売方法を提供する。これによって、ユーザが要求する造形・デザインも含めた様々なバラエティにとんだ製品を短時間で供給することができる。
【０１３９】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０１４０】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０１４１】
【発明の効果】
本発明に係る製造装置は、以上のように、所定の機能が設定された組み合わせ可能なユニットを供給するユニット供給手段と、上記ユニット供給手段から供給される上記ユニットを組み合わせて製品を作製する組立手段と、上記組立手段の作製する上記製品の機能が顧客の要望に沿ったものとなるように、上記ユニット供給手段の供給する上記ユニットの機能を設定する制御部とを備えている構成である。
【０１４２】
それゆえ、ユニットの機能を所望の機能に設定し、そのユニットを組み合わせて製品を製造するので、ユーザの要求する機能を有する製品を製造する製造装置を提供することができるという効果を奏する。
【０１４３】
本発明に係る製造装置は、以上のように、上記構成において、上記ユニットに記憶させるためのプログラムを保存しているデータベースを備えており、上記ユニット供給手段は、上記ユニットを格納するユニット格納部を有しており、上記制御部が、上記ユニット供給手段の上記格納部に格納している上記ユニットに、上記データベースの上記プログラムを記憶させることによって、上記ユニットに上記機能を設定する構成である。
【０１４４】
それゆえ、上述の本発明に係る製造装置を容易に実現できるという効果を奏する。
【０１４５】
本発明に係る製造装置は、以上のように、上記構成において、製造装置本体の有する各手段が一体となり、移動可能かつ設置可能となっている構成である。
【０１４６】
それゆえ、一体として設けた製造装置を所望の場所へと移動させて設置できるという効果を奏する。
【０１４７】
本発明に係る製造装置は、以上のように、上記構成において、顧客による支払を検出する支払受付装置を備え、上記支払受付装置による顧客の上記支払の検出に応じて、上記製品の製造を行う構成である。
【０１４８】
それゆえ、製造装置として、支払に応じて製品を製造する製造販売装置を提供できるという効果を奏する。
【０１４９】
本発明に係る製造装置は、以上のように、上記構成において、上記製品に施すデザインのデータを入力するための入力手段と、上記入力手段を介して入力されたデザインのデータを表示する表示装置とを備えている構成である。
【０１５０】
それゆえ、入力手段にて入力したデザインを表示装置に表示させて、製品に施すデザインを確認できるという効果を奏する。
【０１５１】
本発明に係る製造装置は、以上のように、上記構成において、上記入力手段を介して入力されたデザインを上記製品に施す加工装置を備えている構成である。
【０１５２】
それゆえ、例えば印刷・塗装などによって、所望のデザインを製品に施すことができるという効果を奏する。
【０１５３】
本発明に係る製造装置は、以上のように、上記構成において、上記入力手段を介して入力されたデザインが予め定めた制限条件を満たしていない場合に警告を上記表示装置に表示させる警告手段を備えている構成である。
【０１５４】
それゆえ、制限条件を適切に定めて、例えば所定の操作性が得られることを保証できるという効果を奏する。
【０１５５】
本発明に係る製造装置は、以上のように、上記構成において、ユーザの所有するユーザ装置の形状を認識する形状認識部を備え、上記加工装置が、上記形状認識部にて認識した上記形状に応じて、上記デザインを上記ユーザ装置に対して施す構成である。
【０１５６】
それゆえ、ユーザの所有するユーザ装置に対してデザインを施すことができるという効果を奏する。
【０１５７】
本発明に係る製造方法は、以上のように、作製する製品の機能が顧客の上記要望に沿ったものとなるように、製品を構成するユニットに所望の機能を設定する工程と、上記所望の機能が設定された上記ユニットを組み合わせて上記製品を作製する工程とを含んでいる構成である。
【０１５８】
それゆえ、ユニットごとに設定する機能を適切なものとして、所望の機能を有する製品を製造できるという効果を奏する。
【図面の簡単な説明】
【図１】本発明に係る製造装置の一実施の形態を示すブロック図である。
【図２】上記製造装置の処理の一例を示すフローチャートである。
【図３】上記製造装置の表示画面の一例を示す図である。
【図４】上記製造装置の表示画面の他の一例を示す図である。
【図５】上記製造装置の表示画面のさらに他の一例を示す図である。
【図６】上記製造装置の表示画面のさらに他の一例を示す図である。
【図７】上記製造装置の表示画面のさらに他の一例を示す図である。
【図８】上記製造装置の処理の他の一例を示すフローチャートである。
【符号の説明】
１      製造装置
２      入力部
３      加工部
４      制御部
５      警告部（警告手段）
６      データベース
７      支払受付装置
８      データ入力装置（入力手段）
９      表示装置
１０    部品・素材格納部（ユニット供給手段）
１１    組立検査部
１２    収容部
１５    ユニット格納部
１７    デザイン加工装置（加工装置）
１８    組立装置（組立手段）
２２    形状認識部
【図１】
2004310445.tif 000003
【図２】
2004310445.tif 000004
【図３】
2004310445.tif 000005
【図４】
2004310445.tif 000006
【図５】
2004310445.tif 000007
【図６】
2004310445.tif 000008
【図７】
2004310445.tif 000009
【図８】
2004310445.tif 000010